(57)【要約】      （修正有）【課題】キルトのキルティング作業に用いるフープを、テーブル等に保持し、キルティング作業時、作業者にかかる負担を軽減し、キルティング作業を容易に行うことが出来るフープ保持具を提供する。【解決手段】キルトのキルティング作業時、キルトを平面的に緊張した状態に保持するために使用するフープを支える、フープ保持具である。本フープ保持具は、テーブル等に固定され、フープを支える溝を持ち、固定具のネジ部分が、キルトに刺し縫いされたしつけ糸に絡まないように、固定具にネジの覆い部分を設けたことを特徴とするフープ保持具である。【選択図】図２
0003115467.tif 000002
【実用新案登録請求の範囲】
【請求項１】
キルトのキルティング作業時、キルトはフープの内フープと外フープで挟まれて、平面的に緊張した状態に保持される。前記キルトを緊張させるためのフープを、キルティング作業時安定して支える為、テーブル等の縁部に固定具によって固定することを特徴とするフープ保持具である。
【請求項２】
キルトのキルティング作業時、キルトはフープの内フープと外フープで挟まれて、平面的に緊張した状態に保持される。前記キルトを緊張させるためのフープを、キルティング作業時安定して支える為、フープを支える溝を持ち、その溝は上方に１５度程度の角度を持つことを特徴とするフープ保持具である。
【請求項３】
キルトのキルティング作業時、キルトはフープの内フープと外フープで挟まれて、平面的に緊張した状態に保持される。前記キルトを緊張させるためのフープを、キルティング作業時安定して支える為、テーブル等の縁部に固定具によって固定することを特徴とするフープ保持具であるが、前記固定具のネジ部分が直接キルトに接触しないように固定具にネジを覆う、覆い部分が付いているフープ保持具である。
【考案の詳細な説明】
【技術分野】
【０００１】  本考案は、キルトおよびパッチワークキルトのキルティング作業に用いるフープを、安定して保持する為の、テーブル等に固定して使用するフープ保持具に関する。
【背景技術】
【０００２】  キルトは、表布、芯、裏布の三層で構成されている。キルトのサイズは、コースターなど１０センチ角程度の小さなものから、縦横２メートル以上におよぶタペストリーやベットカバーなどさまざまである。その重量も大きくなるほど重くなる。【０００３】  キルトは、表布、芯、裏布の三層で構成され、キルト全体を模様風に刺し縫いするキルティング作業のため準備されたキルトは、この三層をしつけ糸によって大きな針巾の仮の刺し縫いで留められている。しつけ糸は、仮の刺し縫いに使う為の糸であって模様風の刺し縫いが完成した後には取り除く糸である。したがって比較的切れやすい糸である。【０００４】  キルティング作業時、キルトは平面的に緊張した状態に保持することにより、刺しやすく美しい仕上がりになる。そのため、キルティング作業時、キルトはフープ、フープスタンド、木製の木枠等を用いて平面的に緊張した状態を保持している。本考案は、このうちのフープに関する。【０００５】  フープは直径が２５〜５０センチの木製円環状枠で、内フープと外フープからなる。内フープにキルトのキルティングを施したい位置を合わせて載せ、外フープをキルトの上からかぶせ、キルトを内フープと外フープの間に挟み込み平面的に緊張した状態に保持する。外フープには、一部切れ目が設けられ蝶ねじの締め具合で径が調節できる。【０００６】  キルティング作業のため準備されたキルトを挟んだフープは、フープの縁部をテーブル等の天板に載せ、又はフープの縁部を天板の縁部に押し当てフープの反対側を作業者の腹部で支えることでフープを略水平に保持し、キルティング作業を行う。また、キルティング作業の進行に伴いフープを回してキルティング位置を変えながら作業を進める。【０００７】  フープ保持具に関する考案としては特許出願公開番号２００５−１５９５２がある。この考案は、キルトのキルティング作業時、熟練者でなくともフープがテーブル等に略水平に安定した状態に保持することが出来るフープホルダーの提供である。フープホルダーはフープとテーブルの間にあって、作業者の腹部をフープに押し当てることによってフープとフープホルダーが略水平に保持される構造になっている。
【考案の開示】
【考案が解決しようとする課題】
【０００８】  キルトは、表布、芯、裏布の三層で構成されており、作品のサイズはコースターなどの１０センチ角程度の小さなものから、縦横２メートル以上におよぶタペストリーやベットカバーなどさまざまである。その重量も大きくなるほど重くなる。２メートル以上になるベットカバーなどのサイズのキルトは、キルティング作業時、フープスタンド、木製の木枠等を用いてキルトを略水平に保持するなら、作業者がキルトを支える必要が無く、キルティング作業のみに専念でき、キルトの大きさ、重さによる作業者にかかる負担を軽減することができる。しかしながらフープスタンドも木製の木枠も高価であり、作業場所も広く必要となる。【０００９】  フープを特許出願公開番号２００５−１５９５２によるフープホルダーで保持するも、２メートル以上に及ぶタペストリーやベットカバーなどの大きなキルトのキルティング位置を、フープを回して位置を変える場合、フープの内フープと外フープに挟まれたキルトのキルティング位置以外の下に垂れ下がっているキルト分が大きく、作業者の腹部でフープとフープホルダーを押さえたままで位置を変えることは難しい。【００１０】  この考案は前記事情に着目してなされたもので、キルティング作業の際、フープを安定した状態に保持し、作業者へのキルトの大きさや重さによる負担を少なくし、場所も取らない、テーブル等に固定できるフープ保持具を提供することを目的とする。
【課題を解決するための手段】
【００１１】  本考案は、フープ保持具本体を、テーブルの縁部等に固定することが出来る固定具をフープ保持具本体に取り付けることにより、フープ保持具をテーブルの縁部に固定して使用するフープ保持具である。【００１２】キルティング作業のため準備されたキルトを挟み込んだフープを保持する為に、フープ保持具に設けられた溝は水平ではなく、溝の下面部は支えているフープが外れて下に落ちないように、上向きに１５度程度の角度を持つ。溝の上面部はキルティング作業の進行に伴い、フープを回しキルティング位置を変える作業がしやすいように、上向きに１５度程度の角度を持つ。【００１３】  フープ保持具は、固定具によってテーブル等に固定されるが、固定具のネジがキルティング作業のために準備されたキルトの、表布、芯、裏布の三層を大きく仮の刺し縫いをする為に使われているしつけ糸に絡まり、しつけ糸が切れることが無いように、固定具の前面には、ネジがキルトに直接接触しないように覆い部分を設けている。
【考案の効果】
【００１４】  テーブル等に固定して使用するフープ保持具であるから、２メートル以上に及ぶサイズのタペストリーやベットカバーなどのキルティング作業のために準備された大きなキルトのキルティング位置を、フープを回して変える場合、フープの内フープと外フープに挟まれたキルトのキルティング位置以外の下に垂れ下がっているキルト分も大きく位置を変えるが、フープ保持具を支えにして容易に位置を変えることができ、作業性の向上を図ることが出来る。【００１５】  キルト全体を模様風に刺し縫いするキルティング作業は、直線、曲線、直線と曲線が複雑に絡んだもの等、多種多様のキルトに下書きされたキルティングラインをキルティング作業する。このためキルティング作業のために準備されたキルトを挟んだフープは、さまざまに位置を変えることになる。上下左右斜めに動くフープは、溝の下面部の１５度程度の傾斜により支えられて外れにくくなる。また、溝の上面部の１５度程度の傾斜で上下左右斜めに動くフープの多様な動きに対応しやすくなる。【００１６】  表布、芯、裏布の三層で構成され、キルト全体を模様風に刺し縫いするキルティング作業のため準備されたキルトは、この三層をしつけ糸によって大きな針巾の仮の刺し縫いで留められている。しつけ糸は、仮の刺し縫いに使う為の糸であって模様風の刺し縫いが完成した後には取り除く糸である。したがって比較的切れやすい糸である。切れやすい糸がキルト全面を大きな針巾で被っているため、キルトのしつけ糸は、あちこちにひっかかりやすい。固定具の前面に設けられた覆い部分は、しつけ糸で刺し縫いされたキルトが直接固定具のネジに接触し、しつけ糸がネジに引っかかり、切れることを予防する。
【考案を実施するための最良の形態】
【００１７】  以下添付図面に従って一実施例を説明する。図１はフープとキルト、図２はフープ保持具の斜視図、図３はフープ保持具の使用状態の縦断側面図である。【００１８】  図１で示すように、フープ１は、直径が２５〜５０センチの木製などの円環状枠で、フープ１は内フープ２と外フープ３とからなる。内フープ２にキルト５のキルティング位置を合わせて載せ、外フープ３をキルト５の上からかぶせ、キルト５を内フープ２と外フープ３の間に挟み込み、キルト５を緊張させた状態に保持する。外フープ３には一部切れ目が設けられ、蝶ネジ４の締め具合で径が調節できる。【００１９】  フープ保持具本体７は、たとえば木製の円柱状のものから造られており、上面部８、横面部９、下面部１０で囲まれたキルティング作業のために準備されたフープを保持する為の溝がある。溝の上面部８は、キルティング作業の進行に伴いさまざまに位置を変えるフープ１がキルティング位置を上下左右斜めに変えやすいように、上向きに１５度程度の傾斜角度を持つ。溝の横面部９は、フープ１が木製円環状枠で曲率を持つことを考慮して、同程度の曲率を持つ。溝の下面部１０は、溝で支えているフープ１がキルティング作業の進行に伴い上下左右斜め等に位置を変えても溝から外れにくいように、上向きに１５度程度の傾斜角度を持つ。【００２０】  フープ保持具本体７の、上面部８、横面部９、下面部１０によって構成される溝は、フープ１の高さ寸法が３センチ程度であるとして、フープ１の内フープと外フープに挟まれたキルト５の厚みも考慮して、上下に５ミリ程度の隙間を考え、高さ寸法は４センチ程度とする。【００２１】  溝の奥行きは、内フープ２と外フープ３に挟まれたキルト５が、縦横２メートル以上におよぶタペストリーやベットカバーなどの大きなキルトであっても、しっかり支えられるように４センチ程度とする。この大きさのフープを保持する溝であれば、作業者がキルティング作業の進行に伴い、キルティング位置を変えたり、姿勢を変えることによって、大きなキルトを挟んだフープが上下左右斜めに位置を変えて動いても十分支えることができる。このため常に安定した状態を保持することができ、作業性の向上をはかることができる。【００２２】  フープ保持具本体７をテーブル１３等の縁部に固定する固定具１１は、テーブル１３等の厚さサイズがいろいろな天板の縁部にその厚さサイズに合わせて固定できるように、調節するネジ１２を持つ。ネジ１２を上下することによって、厚さサイズの異なるテーブル１３等に固定できる。【００２３】  表布、芯、裏布の三層で構成され、キルト全体を模様風に刺し縫いするキルティング作業のため準備されたキルト５は、この三層をしつけ糸６によって大きな針巾の仮の刺し縫いで留められている。しつけ糸６は、仮の刺し縫いに使う為の糸であって模様風の刺し縫いが完成した後には取り除く糸である。したがって比較的切れやすい糸である。切れやすい糸がキルト全面を大きな針巾で被っているため、しつけ糸６は、あちこちにひっかかりやすい。固定具１１には、ネジ１２が使用されており、しつけ糸６はネジ１２に絡まりやすいと考えられる。そのため、ネジ１２がキルト５に直接接触しないように固定具１１には、ネジ１���の覆い部分が作られている。【００２４】  本考案の一実施例は前述のごとき構成からなるものである。本考案のフープ保持具本体７を用いてキルティング作業を行う際は、図３に示すように、テーブル１３の縁部にフープ保持具本体７の固定具１１のねじ１２を回し、締めてフープ保持具本体７を固定する。作業者１４はテーブル１３の前に座り、フープ保持具本体７の、上面部８、横面部９、下面部１０によって構成された溝に、平面的に緊張された状態に保持されたキルト５を挟んだフープ１を合わせ入れ、キルティング作業を行う。フープ保持具本体７はテーブル１３に固定され、かつ上面部８、横面部９、下面部１０によって構成された溝が１５度程度上向きである為、キルティング作業中に作業者１４が動いても、またキルト５を挟んだフープ１がキルティング作業に伴い上下左右斜めにキルティング位置を変えて動いてもフープ１を安定して保持でき、作業性の向上を図ることが出来る。【００２５】  なお、前期実施形態においては、フープ保持具を円筒状としたが、矩形でもよく、木製に限定されず合成樹脂材料で成型しても良い。【００２６】  なお、この考案は、前記実施形態そのままに限定されるものではなく、実施段階ではその要旨を逸脱しない範囲で構成要素を変形して具体化できる。
【図面の簡単な説明】
【００２７】
【図１】フープとキルト
【図２】フープ保持具の斜視図
【図３】フープ保持具の使用状態の縦断側面図
【符号の説明】
１・・・フープ、２・・・内フープ、３・・・外フープ、４・・・蝶ネジ、５・・・キルト、６・・・しつけ糸、７・・・フープ保持具、８・・・上面部、９・・・横面部、１０・・・下面部、１１・・・固定具、１２・・・ネジ、１３・・・テーブル、１４・・・作業者
【図１】
0003115467.tif 000003
【図２】
0003115467.tif 000004
【図３】
0003115467.tif 000005
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定できる、ネジ等の固定具を使用してテーブル等に固定して使用することを特徴とするフープ保持具。
【請求項２】
キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定できるフープ保持具であって、第二の嵌合溝は上方向に１５度程度の角度を持つ事を特徴とするフープ保持具。
【請求項３】
キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定できるフープ保持具であって、第一の嵌合溝の下部分に取り付けられたネジ部分が直接キルトに接触し、しつけ糸に絡まないように第一の嵌合溝の作業者の腹部側下方向にネジ部分を覆う、覆い部分がついていることを特徴とするフープ保持具。
【手続補正２】
【補正対象書類名】明細書
【補正対象項目名】全文
【補正方法】変更
【補正の内容】
【考案の詳細な説明】
【技術分野】
【０００１】本考案は、キルト及びパッチワークキルトのキルティング作業に用いるフープを、作業者が略水平に安定した状態に保持できるようにフープを支える、テーブル等に固定して使用するフープ保持具に関する。
【背景技術】
【０００２】キルトは、表布、芯、裏布の三層で構成されている。この三層は、しつけ糸によって大きな針巾で縫い綴じられている。しつけ糸はキルティングが完成した後で取り除くため切れやすい糸である。キルトのサイズはさまざまで、大きなものは縦横２メートル以上に及ぶものもある。その重量も大きくなるほど重くなる。【０００３】キルト全体を模様風に刺し縫いするキルティング作業時、キルトは平面的に緊張した状態に保持することにより刺しやすくまた、美しい仕上がりになる。そのためキルティング作業時にはフープを用いることが多い。フープは、直径３０〜４０センチの木製円環状枠で、内フープと外フープとからなる。外フープには円周の一部に切れ目が設けられ蝶ネジがついており、ネジの締め具合で径が調節できる。キルトの張り方は、内フープの上方にキルトのキルティングを施したい位置を合わせて載せ、外フープをキルトの上方からかぶせ、キルトを内フープと外フープの間に挟み込みキルトの厚みに合わせて蝶ネジで外フープの径を調節してキルトを平面的に緊張した状態に保持する。【０００４】フープで平面的に緊張した状態に保持されたキルトは、作業者の前面に略水平に保持するとキルティング作業がしやすい。そのため作業者は、たとえば椅子に着座してテーブルを前に作業するときは、フープの前面を腹部で支え反対側をテーブルの縁部に押し当てて腹部とテーブルの縁部でフープを挟み込み、略水平にフープを保持してキルティングを行う。またキルティング作業の進行に伴いフープを回してキルティング位置を変えながら作業を進める。
【考案の開示】
【考案が解決しようとする課題】
【０００５】フープを作業者の腹部とテーブル等の縁部で挟み込み略水平に保持することは、フープが木製の円環状枠であり、テーブル等の縁部は長手方向及び幅方向に直線であること、またキルティング作業は作業の進行に伴いフープを回して位置を変えながら作業を進めるなどの不安定な要因が重なり、フープが滑ってテーブル等の縁部から外れることが多く、フープを略水平に安定して保持するには熟練が必要となる。【０００６】この考案は前記事情に着目し、キルティング作業時フープを略水平に安定した状態に保持するフープ保持具の提供を目的とする。なお、同じようにフープを支える考案としては特許出願公開番号２００５−１５９５２がある。
【課題を解決するための手段】
【０００７】キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定できる、ネジ等の固定具を使用してテーブル等に固定して使用することを特徴とするフープ保持具である。【０００８】キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定でき、第二の嵌合溝は上方向に１５度程度の角度を持つ事を特徴とするフープ保持具である。【０００９】キルトを内フープと外フープの間に挟み込み、平面的に緊張した状態に保持するためのフープを、キルティング作業時、作業者の前面に略水平に安定して保持するためのフープ保持具であって、フープ保持具本体の一端部にテーブル等の縁部に嵌合して固定する第一の嵌合溝を設け、他端部には前記フープの縁部と嵌合する第二の嵌合溝を設け、第一の嵌合溝の下部分にはネジが取り付けられており、テーブル等の厚みに合わせてネジを締め、テーブル等の縁部を挟み込むことによってテーブル等に固定でき、第一の嵌合溝の下部分に取り付けられたネジ部分が直接キルトに接触し、しつけ糸に絡まないように第一の嵌合溝に続いて作業者の腹部側下方向にネジ部分を覆う、覆い部分がついていることを特徴とするフープ保持具である。
【考案の効果】
【００１０】テーブル等に固定して使用するフープ保持具であるから、フープ保持具の第二の嵌合溝にフープを嵌合することにより熟練していなくてもフープを略水平に安定した状態に保つことができ、またキルティング作業時フープを回しながらキルティング位置を変える場合、フープの内フープと外フープに挟まれたキルト部分以外の下に垂れ下がっているキルト部分も大きく位置を変えることになるが、２メートル以上に及ぶサイズのキルトであってもフープ保持具を支えにして容易に位置を変えることができ、作業性の向上を図ることができる。【００１１】キルト全体を模様風に刺し縫いするキルティングは、直線、曲線、直線と曲線が複雑に絡んだもの等、多種多様のキルトに下書きされたキルティングラインをキルティングすることになる。このためキルトを挟んだフープはキルティングの進行に伴い上下左右斜めに多様に位置を変える。多様に位置を変えるフープは、第二の嵌合溝が上方向に１５度程度の傾斜を持つことで外れにくく安定して支えられる。【００１２】キルトは、表布、芯、裏布の三層で構成され、この三層はしつけ糸によって大きな針幅で仮に縫い綴じられている。しつけ糸はキルティングが完成した後にとり除くため切れやすい糸であり、また大きな針幅で縫い綴じてあるため、あちこちに引っかかりやすい。フープ保持具の作業者側に設けられたネジの覆い部分は、しつけ糸がネジに引っかかり切れることを予防する。
【考案を実施するための最良の形態】
【００１３】フープ保持具本体には、テーブル等の縁部に嵌合して、フープ保持具本体をテーブル等の縁部に固定する第一の嵌合溝を設け、反対側にはフープを嵌合してフープを支える第二の嵌合溝が設けられている。第一の嵌合溝にはさまざまな厚さのテーブル等の縁部に対応して固定できるように、調節用のネジが取り付けられている。第二の嵌合溝は上方向に１５度程度の角度を持ち、そのためにできた凸部分でフープをよりしっかり支えることができる。また第一の嵌合溝に設けられたネジは、さまざまな厚さのテーブル等の縁部に対応するために、調節部分が第一の嵌合溝の下にでてくる。このネジの調節部分がキルトに接触してしつけ糸に絡まないように、ネジとキルトを隔てるためのネジの覆い部分を設けている。
【実施例】
【００１４】以下添付図面に従って一実施例を説明する。図１はこの考案の実施形態のフープおよびフープ保持具の斜視図、図２は考案の実施形態のフープ保持具の使用状態の縦断側面図、図３はフープ保持具の使用状態の説明図である。【００１５】図１で示すように、フープ１はたとえば直径３０センチの木製円環状枠で、内フープ２と外フープ３からなり、外フープ３には一部切れ目が設けられ蝶ネジ４が取り付けられている。キルトの張り方は、内フープ２の上方にキルトのキルティングを施したい位置を合わせて載せ、外フープ３をキルト５の上方からかぶせ、キルト５を内フープ２と外フープ３の間に挟み込み厚みに合わせて蝶ネジ４で外フープ３の径を調節して平面的に緊張した状態に保持する。【００１６】フープ保持具７は、たとえば木製の円柱状に作られており、テーブル１２等の縁部に嵌合して固定する第一の嵌合溝８と、フープ１に嵌合してフープ１を支え略水平に安定して保つ第二の嵌合溝９、とネジ１１等の覆い部分からなる。【００１７】フープ保持具７の直径はたとえば６センチ程度とし、第一の嵌合溝８は平行の上面８ａ、平行の下面８ｂ、後面８ｃ、を有している。平行の下面８ｂは下方向に２センチ程の厚みをもち、その中央にネジ１１を取り付けている。後面８ｃにはテーブルの縁部に嵌合する第一の嵌合溝８が横方向に貫通して設けられている。フープ保持具７は、第一の嵌合溝８の平行の上面８ａと平行の下面８ｂの間にテーブル１２の縁部を嵌合し、ネジ１１を調節して平行の上面８ａとネジ１１でテーブル１２等の縁部を挟み込み固定される。第一の嵌合溝８はテーブル等の天板の厚みを考えて７センチ前後とする。深さは４センチ前後とする。【００１８】フープ保持具７には、前記フープ１の縁部に嵌合する第二の嵌合溝９が横方向に貫通して設けられている。第二の嵌合溝９は、フープ１の高さ寸法が３センチ程度であるとして、内フープ２と外フープ３に挟まれたキルト５の厚みも考慮して４センチ前後とする。第二の嵌合溝９の深さは４センチ前後とし、フープ１がキルティングの進行に伴い上下左右斜めに傾いても第二の嵌合溝９から外れにくいように、上方向に１５度程度の傾斜角度を持つ。【００１９】ネジ１１はテーブル１２の天板の厚みに合わせて上下するため、第一の嵌合溝８の平行の下面８ｂの２センチの厚みの下から、ネジの調節部分が出る。後面８ｃをそのまま下方向に平行の下面８ｂの２センチの厚みの下６センチまで伸ばす事で、ネジ１１の覆いの部分になる。【００２０】本考案の一実施例は前述のごとき構成からなるものである。本考案のフープ保持具７を用いてキルティング作業を行う際は、図３に示すように、テーブル１２の縁部にフープ保持具７の第一の嵌合溝８を嵌合しネジ１１を締めてテーブル１２の縁部にフープ保持具７を固定する。その後、フープ１を第二の嵌合溝９に嵌合して作業者１３の腹部とフープ保持具７の間で挟み込むことで略水平に安定して保つことができ、作業性の向上を図ることができる。【００２１】またキルティングの進行に伴い、フープ１がキルティング位置を変えて動いても第二の嵌合溝９が、上方向に１５度程度の角度をもつためその凸部分でフープ１はしっかり支えられる。【００２２】キルト５は、表布、芯、裏布の三層で構成され、この三層はしつけ糸６によって大きな針幅で仮に縫い綴じられている。しつけ糸６は突起物があるとひっかかりやすいが、ネジ１１の調節部分が覆い部分１０で覆われているため、しつけ糸６が絡まることを予防できる。【００２３】なお、前記実施形態においてはフープ保持具７を円柱状としたが、矩形でもよく、木製に限定されず合成樹脂材料で成型してもよい。【００２４】なお、この考案は、前記実施形態そのままに限定されるものではなく、実施段階ではその趣旨を逸脱しない範囲で構成要素を変形して具体化できる。
【図面の簡単な説明】
【００２５】
【図１】考案の一実施形態のフープ及びフープ保持具の斜視図
【図２】考案の一実施形態のフープ保持具の使用状態の縦断側面図
【図３】フープ保持具の使用状態の説明図
【符号の説明】
１・・・フープ、２・・・内フープ、３・・・外フープ、４・・・蝶ネジ、５・・・キルト、６・・・しつけ糸、７・・・フープ保持具、８第一の嵌合溝、８ａ・・・平行の上面、８ｂ・・・平行の下面、８ｃ・・・後面、９・・・第二の嵌合溝、１０・・・ネジを覆う部分  １１・・・ネジ、１２・・・テーブル、１３・・・作業者
【手続補正３】
【補正対象書類名】図面
【補正対象項目名】全図
【補正方法】変更
【補正の内容】
【図１】
0003115467.tif 000006
【図２】
0003115467.tif 000007
【図３】
0003115467.tif 000008